(57)【要約】【課題】  キッチン用キャビネットのシンクの脇部に設置した状況で、開放させた扉が水栓のコック部に当たったり、使用者が手や腰等をぶつけたりすることをなくし得、又、開放させた扉が上方の棚等に当たるようなこともなくし得るようにする。【解決手段】  筐体１１の開口部を開閉する扉３１を、筐体１１に枢支された下部扉（第１の扉部）３２と、筐体１１にリンク８１連結された上部扉（第２の扉部）３３とを有し、筐体１１の開口部から一方向に開放するように構成した。【選択図】  図２１
2005058794.tif 000002
【特許請求の範囲】
【請求項１】
前面又は上面もしくはその双方に開口部を有し、内部にその開口部に通じる洗浄室を有する筐体と、
前記洗浄室の内部に食器を配列する食器かごと、
前記食器を洗浄する洗浄機構と、
前記筐体の開口部にこれを開閉するように設けられた扉とを具備するものにおいて、
その扉を、前記筐体に枢支された第１の扉部と、前記筐体にリンク連結された第２の扉部とを有し、前記筐体の開口部から一方向に開放するように構成したことを特徴とする食器洗浄機。
【請求項２】
第１の扉部と第２の扉部とを連結する手段を有することを特徴とする請求項１記載の食器洗浄機。
【発明の詳細な説明】
【技術分野】
【０００１】
本発明は、扉が第１の扉部と第２の扉部とを有する食器洗浄機に関する。
【背景技術】
【０００２】
一般に、食器洗浄機においては、筐体が、内部に洗浄室を有し、この洗浄室の内部に食器を配列する食器かごと、その食器を洗浄する洗浄機構とを有している。又、筐体には、前面又は上面もしくはその双方に開口部が設けられ、この開口部を開閉する扉が設けられている。
【０００３】
図２４及び図２５はこのような食器洗浄機を一般的なキッチン用キャビネットのシンクの脇部に設置した状況を、斜視図（図２４）と平面図（図２５）とで表している。この場合、図示例の食器洗浄機１は、筐体２の前面に開口部が設けられているものであり、この開口部を開閉する扉３は、一般的構造として、開放時に、下端部３ａを中心としてほゞ水平状態まで回動されるようになっている。又、これらの図に示したキッチン用キャビネット４は、中央部よりやゝ右側にシンク５を有し、このシンク５の左右両側の脇部に食器洗浄機１が設置可能な部分（食器洗浄機設置可能部）６，７を有している。又、シンク５の後側上方部には、シンク５内に給水するための水栓８が設けられており、そのほか、このキッチン用キャビネット４には左側端部にコンロ９が例えば３口設けられている。
【０００４】
このようなキッチン用キャビネット４の各部は、寸法が規格化されており、その中で、シンク５の左脇部の食器洗浄機設置可能部６は、一般には調理台部であって、比較的幅広く、食器洗浄機１はこの部分６に前向きに設置される。これに対して、今一つ（シンク５の右脇部）の食器洗浄機設置可能部７は、キッチン用キャビネット４の右側端部に位置するため、充分に幅広いものではなく、食器洗浄機１はこの部分７に横向き（左向き）に設置される。
なお、図２４及び図２５は、説明の都合上、食器洗浄機１が、食器洗浄機設置可能部６，７の双方に設置された状況を表しているが、実際には、そのいずれかが選択されて設置される。
【発明の開示】
【発明が解決しようとする課題】
【０００５】
図２５では、上述のように設置された食器洗浄機１の、開放された扉３を二点鎖線で表している。この場合、シンク５の右脇部の食器洗浄機設置可能部７に食器洗浄機１が設置されたケースにおいては、その食器洗浄機１の、下端部３ａを中心として開放回動された扉３の先端部の後側の角部３ｂが、水栓８、特にこれのコック部８ａに当たり、扉３を充分に開放させることができない。よって、食器かごや食器の出し入れに支障を来たす。
一方、シンク５の左脇部の食器洗浄機設置可能部６に食器洗浄機１が設置されたケースにおいては、その食器洗浄機１の、下端部３ａを中心として開放回動された扉３の先端部がキッチン用キャビネット４の前縁より前方に突出し、この突出した扉３先端部の左右両側の角部３ｂ，３ｃに使用者が手や腰等をぶつけることがあって、使用しにくい。
【０００６】
これに対して、図示しないが、扉が開閉する開口部を筐体の上面、もしくは前面から上面にかけてその双方に設けたものでは、扉は一般に後端部を中心としてほゞ垂直状態まで回動されるようになっている。
しかしながら、このものでは、開放させた扉の上端部が、キッチン用キャビネット４上方の比較的低い位置に設けられた棚等に当たって、扉を充分に開放させることができないという問題点を有する。
【０００７】
本発明は上述の事情に鑑みてなされたものであり、従ってその目的は、主として、キッチン用キャビネットのシンクの脇部に設置した状況で、開放させた扉が水栓のコック部に当たったり、使用者が手や腰等をぶつけたりすることをなくし得、又、開放させた扉が上方の棚等に当たるようなこともなくし得る食器洗浄機を提供するにある。
【課題を解決するための手段】
【０００８】
上記目的を達成するために、本発明の食器洗浄機においては、前面又は上面もしくはその双方に開口部を有し、内部にその開口部に通じる洗浄室を有する筐体と、前記洗浄室の内部に食器を配列する食器かごと、前記食器を洗浄する洗浄機構と、前記筐体の開口部にこれを開閉するように設けられた扉とを具備するものにおいて、
その扉を、前記筐体に枢支された第１の扉部と、前記筐体にリンク連結された第２の扉部とを有し、前記筐体の開口部から一方向に開放するように構成したことを特徴とする。
【発明の効果】
【０００９】
上記手段によれば、扉は、複数の扉部から成るため、開放時、開口部が筐体の前面に存したものでは、扉の先端部がキッチン用キャビネットの水栓のコック部に当たることが避けられ、キッチン用キャビネットの前縁より前方に突出することも避けられる。又、開口部が筐体の上面、もしくは前面及び上面の双方に存したものでは、扉の先端部が上方の棚等に当たることが避けられる。
【発明を実施するための最良の形態】
【００１０】
以下、本発明の基本構造につき、図１ないし図１６を参照して説明する。
まず、図２には、食器洗浄機の外観を示しており、筐体１１を有している。この筐体１１は、図３にも示すように、金属の板材をコ字形に折曲して背部と左右の両側部とを有するようにした側板１２と、これの上縁部に結合した天板１３、側板１２の下縁部に結合した底板１４とにより形成した外箱１５に、更に内箱１６を結合して構成したもので、図１に示すように、前面に矩形の開口部１７を有し、内部にその開口部１７に通じる洗浄室１８を有している。又、この筐体１１の外下面の四隅部には、それぞれ脚１９を取付けている。
【００１１】
洗浄室１８の内部には、食器Ｓ（図１１参照）を配列する食器かご２０を、両側下部の脚車２１がレール２２上を転動する引出し方式で、前後出し入れ可能に収容している。又、洗浄室１８内の食器かご２０より下方の部分には、図３に示すように、噴水アーム２３を回転可能に配設しており、更に、洗浄室１８の底部の前部から下方へは貯水部２４を形成していて、この貯水部２４と、内箱１６の外下方部に配設した洗浄ポンプ２５とを接続パイプ２６で接続している。
【００１２】
洗浄ポンプ２５は、吐水口を上記噴水アーム２３に接続しており、この構造で、洗浄ポンプ２５が、洗浄室１８内の水（洗浄水）を貯水部２４から接続パイプ２６を通じて吸入し、吐水口から噴水アーム２３に圧送する。しかして、噴水アーム２３に圧送された水は、噴水アーム２３の各噴水口２３ａから噴出されるもので、その噴水の反動によって噴水アーム２３は回転もする。
【００１３】
かくして、洗浄水が食器かご２０内の食器Ｓに満遍なく噴射され、その食器Ｓの洗浄（洗い、すすぎ）が行われるものであり、従って、洗浄ポンプ２５及び噴水アーム２３は、食器Ｓを洗浄する洗浄機構として機能する。なお、洗浄室１８内の水は、図示しない給水弁によって、機外から洗浄室１８内に供給される。又、洗浄室１８内の水は、排水時、図示しない排水ポンプによって機外に排出される。
【００１４】
このほか、洗浄室１８内の噴水アーム２３直下の部分には、ヒータ２７を配設すると共に、このヒータ２７を覆うヒータカバー２８を配設しており、更に、内箱１６の外下方部には送風機２９を配設していて、この送風機２９によりダクト３０を通じて洗浄室１８内に供給される風を、ヒータ２７により熱して温風となし、この温風により洗浄後の食器Ｓの乾燥を行うようになっている。従って、ヒータ２７及び送風機２９は食器Ｓを乾燥させる乾燥手段として機能するものであり、更に、ヒータ２７は洗浄時の洗浄水を加熱する加熱手段としても機能するようになっている。
【００１５】
さて、前記筐体１１の開口部１７には、扉３１を設けている。この扉３１は、図２にも示すように、第１の扉部である下部扉３２と、第２の扉部である上部扉３３とから成っており、その下部扉３２は横長の矩形状を成し、上部扉３３はそれよりも縦寸法の短い横長の矩形状を成している。
ここで、下部扉３２は、下端部の両側を、図４及び図５に示すように、外箱１５内において内箱１６に複数のねじ３４によって固着した支持板３５に、支軸３６によって枢支することにより、下端部を中心として開閉回動するように設けており、これにより、扉３１全体としても、下端部を中心として開閉回動するように設けている。
【００１６】
又、この場合、支持板３５には、上部に、外側方へ突出するストッパ３７を形成しており、一方、下部扉３２には被係止片３８を延設していて、これが、下部扉３２の閉鎖時には、図４に示すようにストッパ３７から離間するのに対し、開放時には、図５に示すようにストッパ３７に下方より接触係止されて、下部扉３２をほゞ水平状態に保持するようになっており、かくして、下部扉３２をほゞ水平状態まで開放回動可能としている。なお、これから明らかなように、ストッパ３７と被係止片３８は、下部扉３２をほゞ水平状態に保持する保持手段として機能する。
【００１７】
上部扉３３は、図６及び図７に示すように、下端部の裏側部に形成した円筒状の連結部３９と、下部扉３２の先端部である上端部の裏側部に形成した円筒状の連結部４０とに、支軸４１を挿通することによって、下部扉３２の先端部である上端部に前後（上下）回動可能に連結している。
【００１８】
又、その折り、支軸４１にはスプリング、この場合、図８に示す捩りコイルスプリング４２を巻装しており、この捩りコイルスプリング４２の一端部４２ａを下部扉３２に掛け、他端部４２ｂを上部扉３３に掛けて、上部扉３３を下部扉３２に対し内側の直角方向に付勢している。これにより、図９に示すように、上部扉３３を下部扉３２に対しほゞ直角に回動させて保持するようにしており、従って、捩りコイルスプリング４２はその上部扉３３の回動保持をして扉３１をほゞ直角に２つ折りする扉折り手段として機能する。
【００１９】
なお、この場合、上部扉３３の回動保持は、捩りコイルスプリング４２のばね力によってのみ行うようにしているが、そのばね力を、上部扉３３をほゞ直角以上の角度回動させるものとして、それに抗し、上部扉３３をほゞ直角の状態に係止させて保持するストッパを設けて実現するようにしても良い（この場合、捩りコイルスプリング４２とストッパが、扉折り手段として機能する）。又、この扉折り手段としてのスプリングは、捩りコイルスプリング４２以外の、例えば引張コイルスプリングや板ばねなど、種類の異なるスプリングであっても良い。
【００２０】
更に、下部扉３２と上部扉３３との連結部分にはパッキン４３を設けており、このパッキン４３は、下部扉３２に対する上部扉３３の伸張状態（図６参照）で、下部扉３２と上部扉３３との双方に密接することにより、その連結部分を水密に封じる水封手段として機能する。
【００２１】
そして、図１ないし図３に示すように、下部扉３２には、洗浄室１８内を透視するための、透明部４４と、これに臨む窓４５、及びこの窓４５を覆う防水シート４６を設けており、上部扉３３には、ハンドル４７と、押ボタン４８とを設けている。このうち、ハンドル４７は、上部扉３３の下端部の前面に固定状態に取付けたものであり、押ボタン４８は、上部扉３３の上部に前後に出没可能に設けたものである。
【００２２】
図１０は押ボタン４８の全体を示しており、この押ボタン４８には、被押圧部４８ａの前面に「ＰＵＳＨ」の文字による表示４９を施している。又、この押ボタン４８には、その左右の両側に連結棒５０を一体に延設して、その各先端部に軸突起５１を形成すると共に、ロック用の係止部である爪５２を形成しており、図３に示すように、押ボタン４８の上記被押圧部４８ａの前面部を除く部分と、連結棒５０、及び軸突起５１を上部扉３３内（中空部）に位置させた状態で、その軸突起５１を上部扉３３の左右両側壁部に前後（上下）回動可能に取付けている。
【００２３】
又、この状態で、押ボタン４８の被押圧部４８ａと上部扉３３の後側の内面部との間には、圧縮コイルスプリング５３を介在させており、これによって、押ボタン４８の被押圧部４８ａが上部扉３３の前面よりある程度前方に突出するように付勢している。更に、この状態で、上部扉３３の下部、すなわち、下部扉３２との連結部分近くの裏面の左右両側より後方に突出させた爪５２は、上記圧縮コイルスプリング５３のばね力により上方に回動付勢されており、その付勢された状態で、爪５２が係止する係止受部である受け具５４を、前記筐体１１の開口部１７の左右の両側縁部の上部５５に設けている。
【００２４】
ここで、爪５２は、扉３１を閉鎖したときに、受け具５４に係止して扉３１をロックするようになっており、従って、それら爪５２と受け具５４は、扉３１を閉鎖したときに、扉３１をロックするロック手段として機能するものであり、特には扉３１の下部扉３２と上部扉３３との連結部分近傍を筐体１１側に係止して扉３１をロックするロック手段として機能するものである。
又、そのロック状態で、押ボタン４８の被押圧部４８ａを前方から押せば、爪５２が下方に回動されて、受け具５４との係止状態から解放されるものであり、これによって上記扉３１のロックが解除される。従って、押ボタン４８は扉３１のロックを解除するロック解除手段として機能するものである。
【００２５】
しかして、図１１は食器洗浄機の全体を、扉３１を開放した状態で示しており、この図１１で明らかなように、上述の受け具５４を設けた部分である筐体１１の開口部１７の左右の両側縁部の上部５５は、それより下方の部分の幅がＡであるのに対して、それより洗浄室１８内側へ幅広で、更に、受け具５４の幅Ｂよりも幅広な幅Ｃで形成している（Ａ＜Ｂ＜Ｃ）。なお、この場合、筐体１１の開口部１７の左右の両側縁部の上部（幅広部分）５５より下方の部分の幅Ａは、充分に小さい寸法に留めている。
【００２６】
又、洗浄室１８の側壁には、上述の幅広部分５５に連ねて左右両側部の上部に、それぞれ幅広部分５５とほゞ同幅で洗浄室１８内側に膨出する膨出部５６を形成している。
更に、図１２は受け具５４を詳細に示しており、この図１２で明らかなように、受け具５４は、孔５４ａと、その周囲部５４ｂとを、ともに縦長の矩形状に有するものであり、爪５２は、その孔５４ａに進入して周囲部５４ｂに係止するようになっている。又、この受け具５４の周囲部５４ｂの裏側には、溝５７を全周に形成しており、この溝５７を上記幅広部分５５の取付孔５８（図３参照）に嵌合して該幅広部分５５に取付けている。
【００２７】
加えて、受け具５４にはスイッチボックス５９を連設しており、このスイッチボックス５９内には、レバー６０と、このレバー６０によりアクチェータ６１ａが操作されるマイクロスイッチ６１とを配設しており、このマイクロスイッチ６１に接続したリード線６２をスイッチボックス５９外に導出させている。
そして、そのレバー６０及びマイクロスイッチ６１を配設したスイッチボックス５９を、前記洗浄室１８側壁の膨出部５６の外側（外箱１５と内箱１６との間）に位置させて固定している。
【００２８】
この状態で、前記扉３１を閉鎖ロックしたときには、爪５２によりレバー６０の一端部が押し上げられ、このレバー６０の他端部によってマイクロスイッチ６１のアクチェータ６１ａが押圧操作されることにより、マイクロスイッチ６１は例えばオン作動する（図３参照）。マイクロスイッチ６１はその作動によって扉３１のロックを検出するものであり、従って、それらレバー６０及びマイクロスイッチ６１は、扉３１のロックを検出するロック検出手段として機能する。
なお、上記マイクロスイッチ６１の作動による扉ロックの検出信号は、図示しない制御装置に入力されるようにしており、その入力に基づいて、制御装置は前記食器Ｓの洗浄から乾燥までの運転を許容し、入力がなければ、その運転を停止させるようにしている。
【００２９】
そして又、前記洗浄室１８の開口部１７近くの上側及び左右両側の内周部には、図３及び図１１に示すように、受枠６３を取付けている。この受枠６３は前述の幅広部分５５では、該幅広部分５５、特にその内周に沿って、洗浄室１８の内側に屈曲させており、この受枠６３の前側内部にパッキン６４を収納固着している。従って、パッキン６４も、幅広部分５５では、該幅広部分５５、特にその内周に沿っている。
【００３０】
これに対して、図１３に示すように、前記下部扉３２の裏面の左右両側にはリブ６５を形成し、上部扉３３の裏面の左右両側及び上側にはリブ６６を形成しており、これらのリブ６５，６６が、扉３１の閉鎖時に、パッキン６４を圧接することにより、扉３１と洗浄室１８との間を水密に封じるようにしている。従って、この場合、パッキン６４はその扉３１と洗浄室１８との間を水密に封じる水封手段として機能し、リブ６５，６６はパッキン６４に圧接する圧接部として機能する。
更に、この場合、リブ６５，６６は、前記幅広部分５５に対応する箇所で、図１４にも示すように、双方の端部６５ａ，６６ａが横方向に重なり合うようにしている。
【００３１】
このほか、上部扉３３の先端部である上端部には、そのほゞ全長にわたって凸部６７を形成しており、これに対して、前記筐体１１の開口部１７の上縁部である、天板１３の前縁部には、図３に示すように、下方に開口する凹部６８をそのほゞ全長にわたって形成し、この凹部６８に、扉３１の閉鎖状態で、上記上部扉３３の凸部６７を係止させるようにしている。
又、筐体１１の扉３１より下方の部分には、パネル６９を装着しており、このパネル６９には、前記食器Ｓの洗浄から乾燥までの運転について必要に操作をするための複数の操作キー７０（図２及び図１１参照）を設けている。
【００３２】
次に、上記構成のものの作用を述べる。
図１５の（ａ）に示す食器洗浄機は、扉３１を閉鎖してロックした状態のものであり、この状態から、押ボタン４８を押して前述のように扉３１のロックを解除し、次いで、ハンドル４７を持って扉３１を前方に引く。すると、扉３１は、図１５の（ｂ）に示すように、下部扉３２が下端部（支軸３６）を中心として下方に開放回動し、上部扉３３が、捩りコイルスプリング４２のばね力により、下部扉３２との連結部分から内側（後方）に回動される。この上部扉３３の回動は、上部扉３３が下部扉３２に対しほゞ直角となるまで続けられるもので、ほゞ直角となれば、上部扉３３はそれ以上回動されず、その状態に保持される。
【００３３】
又、下部扉３２は、図１５の（ｃ）に示すように、ほゞ水平状態となるまで開放回動されるもので、ほゞ水平状態となれば、それ以上回動されず、その状態に保持される。このとき、上部扉３３は、下部扉３２に対して上方へほゞ直角に折れ曲がった状態となっており、扉３１全体としてもほゞ直角に２つ折りされた状態となっている。
【００３４】
これに対して、上述の扉３１を開放した状態から、ハンドル４７を持って扉３１を後上方へ押し上げると、下部扉３２は、図１５の（ｂ）に示すように、下端部を中心として上方に閉鎖回動し、上部扉３３は、凸部６７が筐体１１の開口部１７の左右の両側縁部に当接したところから、捩りコイルスプリング４２のばね力に抗し伸張方向に戻される。そして、凸部６７を天板１３前縁部の凹部６８に差し込み係止させ、リブ６５，６６によりパッキン６４を押圧すると共に、上部扉３３の裏面及び下部扉３２の裏面を筐体１１の開口部１７の周縁部に当接させて、図１５の（ａ）に示す閉鎖状態に戻る。
【００３５】
又、この扉３１の閉鎖状態では、爪５２が受け具５４に係止して扉３１、特にこれの下部扉３２と上部扉３３との連結部分近傍をロックするものであり、この扉３１のロックをマイクロスイッチ６１がレバー６０を介して検出する。
【００３６】
このように本構成のものでは、扉３１は、開放時、下部扉３２と上部扉３３とで２つ折りされるもので、これにより、図１６に示すように、食器洗浄機をキッチン用キャビネット４のシンク５の右脇部の幅狭な食器洗浄機設置可能部７に横向き（左向き）に設置した状況で、扉３１を開放させたとき、扉３１の先端部がキッチン用キャビネット４の水栓８のコック部８ａに当たることが避けられる。よって、扉３１を充分に開放させることができるもので、食器かご２０や食器Ｓの出し入れに支障を来たすことはない。
【００３７】
又、食器洗浄機をキッチン用キャビネット４のシンク５の左脇部の幅広な食器洗浄機設置可能部６に前向きに設置した状況で、扉３１を開放させたとき、扉３１の先端部がキッチン用キャビネット４の前縁より前方に突出することも避けられる。よって、扉３１の先端部の角部に使用者が手や腰等をぶつけることもなくなって、使用しやすくできる。
【００３８】
なお、筐体１１の開口部１７は、筐体１１の前面でなく、上面に設けられていても良いもので、このものでは、扉３１も、筐体１１の上面に位置することになって、一般的には、後端部（第１の扉部たる後部扉と、第２の扉部たる前部扉とのうちの後部扉の後端部）を中心としてほゞ垂直状態まで回動されるようになる。しかし、このものでも、扉３１は、開放時にはその第１の扉部（後部扉）と第２の扉部（前部扉）とで２つ折りされることにより、開放させた扉３１の上端部が、キッチン用キャビネット４上方の比較的低い位置に設けられた棚等に当たるというようなことが避けられ、扉３１を充分に開放させることができる。
【００３９】
更に、筐体１１の開口部１７は、筐体１１の前面から上面にかけてその双方に設けられていても良いもので、このものでは、扉３１は筐体１１の前面及び上面の双方に位置することになって、前述のような前開きの場合、前面部部分の下端部を中心として前下方へ回動されるようになるが、その前面部部分の下部を第１の扉部とし、該前面部部分の上部から上面部部分を第２の扉部として、２つ折りされるようにすることにより、開放させた扉３１が水栓８のコック部８ａに当たったり、使用者が手や腰等をぶつけたりすることをなくし得る。
【００４０】
加えて、この場合、上開きであれば、扉３１は、上面部部分の後端部を中心として上方へ回動されるようになるが、その上面部部分の後部を第１の扉部とし、該上面部部分の前部から前面部部分を第２の扉部として、２つ折りされるようにすることにより、開放させた扉が上方の棚等に当たるようなことをなくし得る。
【００４１】
しかして、本構成のものの場合、扉３１を閉鎖したときには、爪５２が受け具５４に係止して扉３１をロックするもので、これにより、子供の悪戯など、不用意な扉の開放を阻止することができる。しかも、この場合、扉３１は、爪５２を下部扉３２（第１の扉部）と上部扉３３（第２の扉部）との連結部分近傍の両側部に設けていることで、その下部扉３２と上部扉３３との連結部分近傍が係止されることになるから、筐体１１に対するその扉３１の連結部分の僅かな浮き離れすら阻止できて、水密性をより確実に保持することができる。なお、この場合、爪５２は、上部扉３３にではなく、下部扉３２に設けていても良い。
【００４２】
加えて、受け具５４は、筐体１１の開口部１７の両側縁部のそれぞれ洗浄室１８内側へ幅広くした部分５５に設けており、それによって、その部分５５や、あるいはその部分５５を含む筐体１１の開口部１７の両側縁部の全部が外方に寸法を増すことがなく、外形寸法の増加を抑えることができる。よって、設置がしやすくでき、特に狭い場所への設置に支障を来たすことがない。
特に、この場合、その幅広部分５５を、一般的に食器かご２０の出し入れの通路外に位置する、筐体１１の開口部１７の左右の両側縁部の上部に設けていることで、幅広部分５５が食器かご２０の出し入れの邪魔になることもない。
【００４３】
更に、洗浄室１８の側壁には、上述の筐体１１の開口部１７の両側縁部のそれぞれ洗浄室１８内側へ幅広くした部分５５に連ねて、洗浄室１８の内側に膨出する膨出部５６を形成し、この膨出部５６の外側に、受け具５４に対する爪５２の係止を検出するロック検出手段たるレバー６０及びマイクロスイッチ６１を配設している。
【００４４】
これにより、扉３１をロックしたときには、それがロック検出手段により検出され、扉３１のロックを解除したときには、ロック検出手段による扉３１のロックの検出がなされなくなるので、それによって、運転中に扉３１のロックを解除したとき、その時点、すなわち、扉３１を開放する前に運転を自動的に停止させることが可能であり、運転中の筐体１１の開口部１７からの洗浄水、特にはヒータ２７で高温化された状態の洗浄水の飛び出し等のおそれを、より確実になくすことができる。
【００４５】
又、そのロック検出手段の配設についても、その配設部分である膨出部５６を洗浄室１８の内側に膨出させて形成していることにより、筐体１１が外方に寸法を増すということがなく、外形寸法の増加を抑えることができるものであり、従って、これによっても設置しやすくできる。
しかも、この場合、その膨出部５６を、一般的に食器Ｓが配置されることのない部分に面する洗浄室１８の側壁の左右両側部の上部に形成していることで、洗浄室１８の有効内容積を実質的に減じることもない。
【００４６】
その上、扉３１を閉鎖したときに扉３１と洗浄室１８との間を水密に封じる水封手段たるパッキン６４を、上述の筐体１１の開口部１７の両側縁部のそれぞれ洗浄室１８内側へ幅広くした部分５５に沿って筐体１１に設けており、これによって、洗浄室１８と扉３１との間からの水漏れをより確実に防止することができる。なお、この場合、パッキン６４は扉３１に設け、パッキン６４を圧する圧接部たるリブ６５，６６を筐体１１に設けるようにしても良い。
【００４７】
一方、本構成のものでは、パッキン６４を筐体１１に設け、リブ６５，６６を下部扉３２と上部扉３３とに設けると共に、その双方のリブ６５，６６の端部６５ａ，６６ａが横方向に重なり合うにしている。これにより、扉３１の下部扉３２と上部扉３３との連結部分の水封をより確実になすことができるので、扉３１のその連結部分からの水漏れをより確実に防止することができる。
【００４８】
以上に対して、図１７ないし図２３は本発明の第１及び第２実施例（第１及び第２の実施形態）を示すもので、それぞれ、基本構造と同一もしくは同様の部分には同一の符号を付して説明を省略し、異なる部分についてのみ述べる。
【００４９】
［第１実施例］
図１７ないし図２１に示す第１実施例においては、前述のスプリング（捩りコイルスプリング４２）に代わる扉折り手段として、特に図１８に示すリンク８１を用いている。このリンク８１は、一端部を、前記下部扉３２の枢着部である支持板３５より上方に位置させて筐体１１の開口部１７の左右の両側縁部に設けた第２の支持板８２に、支軸８３によって上下（前後）回動可能に取付け、他端部を、上部扉３３の裏側部に支軸８４（図２１参照）によって同じく上下（前後）回動可能に取付けており、それによって、上部扉３３と筐体１１との間を結んでいる。
【００５０】
又、この場合、リンク８１に対応させて、下部扉３２及び上部扉３３のそれぞれ裏面の左右両側部には、リンク８１を収納することが可能な寸法の溝８５，８６（図２１参照）を形成している。
更に、この場合、上部扉３３には、前述のハンドル４７に代えて、上部扉３３とは別体のハンドル８７を設けており、図１９は、そのハンドル８７を詳細に表している。このハンドル８７の左右の両側には連結棒８８を一体に延設しており、その各先端部に前述の爪５２を形成し、この爪５２の各基端部の外面に軸突起８９を形成している。そして、その軸突起８９を、上部扉３３内に位置させた状態で、該上部扉３３の左右両側壁部に前後（上下）回動可能に取付けている。
【００５１】
又、この状態で、ハンドル８７の上部８７ａと上部扉３３の後側の内面部との間には、図２０に示す圧縮コイルスプリング９０を介在させており、これによって、ハンドル８７の上部８７ａが上部扉３３の前面とほゞ面一に位置するように付勢している。更に、この状態で、上部扉３３の下部、すなわち、下部扉３２との連結部分近くの部分の裏面より後方に突出させた爪５２は、上記圧縮コイルスプリング９０のばね力により上方に回動付勢されており、その付勢された状態で、前述の受け具５４に係止するようになっている。
【００５２】
この構成で、図２１の（ａ）に示す、扉３１の閉鎖ロック状態から、ハンドル８７を持って図２０に矢印Ｄで示すように前上方へ引けば、爪５２が矢印Ｅで示すように下方に回動されて、受け具５４との係止状態から解放されるものであり、これによって爪５２による扉３１のロックが解除される。従って、この場合、ハンドル８７は、前述の押ボタン４８に代わって、扉３１のロックを解除するロック解除手段として機能するものであり、次いで、そのハンドル８７を持ったまま扉３１を前方に引く。
【００５３】
すると、扉３１は、図２１の（ｂ）に示すように、下部扉３２が下端部を中心としてほゞ水平状態となるまで下方に開放回動し、一方、上部扉３３は、リンク８１により、相対的に後方へ引かれて、下部扉３２との連結部分から内側上方に回動される。この上部扉３３の回動は、前述同様に、上部扉３３が下部扉３２に対しほゞ直角となるまで続けられるものであり、ほゞ直角となれば、上部扉３３はそれ以上回動されず、その状態に保持される。
【００５４】
これに対して、上述の扉３１を開放した状態から、ハンドル８７を持って扉３１を後上方へ押し上げると、下部扉３２は、下端部を中心として上方に閉鎖回動し、それに伴い、上部扉３３は伸張方向に戻されて、この上部扉３３の裏面及び下部扉３２の裏面が筐体１１の開口部１７の周縁部に当接して、図２１の（ａ）に示す閉鎖ロック状態に戻る。又、このとき、リンク８１は下部扉３２及び上部扉３３の溝８５，８６に収納されることによって、扉３１の内部に収納される。
なお、この場合、上部扉３３の先端部には凸部６７を設けておらず、天板１３の前縁部には凹部６８を設けていないが、これら凸部６７及び凹部６８を設けても良い。
【００５５】
このものでは、扉３１のロック解除が、扉３１を開放させるときに持つハンドル８７を操作するだけの簡単で且つ自然な操作でできるから、操作性を一段と良くすることができる。
又、この場合、上部扉３３のほゞ直角の回動保持を、リンク８１により、扉３１の開放回動に連動させて簡単になすことができる。更に、この場合、リンク８１は、扉３１を閉鎖したときには、扉３１の内部に収納されるもので、これにより、扉３１の閉鎖をリンク８１に邪魔されず確実になすことができ、しかも、その扉３１の閉鎖状態でリンク８１が露出したままになることもなく、見掛けを良好に確保することができる。
【００５６】
［第２実施例］
図２２及び図２３に示す第２実施例においては、例えばゴム板等の弾性体１０１を用い、これの一端部を下部扉３２の先端部の裏面部に押え具１０２を介してねじ１０３により取付け、他端部を上部扉３３の下端部に押え具１０４を介してねじ１０５により取付けることにより、それら下部扉３２と上部扉３３との合わせ部分を水密に覆う弾性体１０１で、それらの連結をしている。
このものでは、下部扉３２と上部扉３３との連結が、それらの合わせ部分を水密化するのと併せてなされるから、それらをなすのに別々の部品を要せず、それだけ安価に実現できる長所を有する。
【００５７】
このほか、本発明は上記し且つ図面に示した実施例にのみ限定されるものではなく、特に洗浄機構は、前述の噴水方式に限られず、槽状の洗浄室内に食器を浸漬するまで貯水して、その水を撹拌することによる水流で食器を洗浄するようなものであっても良いなど、要旨を逸脱しない範囲内で適宜変更して実施し得る。
【図面の簡単な説明】
【００５８】
【図１】本発明の基本構造を示す全体の扉開放状態での斜視図
【図２】全体の扉閉鎖状態での斜視図
【図３】全体の縦断側面図
【図４】下部扉枢支部分の扉閉鎖状態での拡大縦断側面図
【図５】下部扉枢支部分の扉開放状態での拡大縦断側面図
【図６】下部扉と上部扉の連結部分の伸張状態での拡大縦断側面図
【図７】下部扉と上部扉の連結部分の拡大背面図
【図８】捩りコイルスプリング単体の拡大斜視図
【図９】下部扉と上部扉の連結部分の折れ曲がり状態での拡大縦断側面図
【図１０】押ボタンから爪にかけての斜視図
【図１１】全体の扉開放状態での正面図
【図１２】受け具からロック検出手段部分にかけての拡大斜視図
【図１３】扉単体の背面図
【図１４】下部扉と上部扉との連結部分の水封状態での部分拡大縦断正面図
【図１５】扉の開閉の変化の様子を（ａ）、（ｂ）、（ｃ）で示す全体の側面図
【図１６】食器洗浄機の設置状況を示す平面図
【図１７】本発明の第１実施例を示す図２相当図
【図１８】図１相当図
【図１９】ハンドルから爪にかけての斜視図
【図２０】図３部分相当拡大図
【図２１】図１５相当図
【図２２】本発明の第２実施例を示す図６相当図
【図２３】下部扉と上部扉の連結部分の折れ曲がり状態での縦断側面図
【図２４】従来の食器洗浄機の設置状況を示す斜視図
【図２５】図１６相当図
【符号の説明】
【００５９】
１１は筐体、１７は開口部、１８は洗浄室、２０は食器かご、２３は噴水アーム（洗浄機構）、２５は洗浄ポンプ（洗浄機構）、３１は扉、３２は下部扉（第１の扉部）、３３は上部扉（第２の扉部）、３６は支軸、８１はリンクを示す。
【図１】
2005058794.tif 000003
【図２】
2005058794.tif 000004
【図３】
2005058794.tif 000005
【図４】
2005058794.tif 000006
【図５】
2005058794.tif 000007
【図６】
2005058794.tif 000008
【図７】
2005058794.tif 000009
【図８】
2005058794.tif 000010
【図９】
2005058794.tif 000011
【図１０】
2005058794.tif 000012
【図１１】
2005058794.tif 000013
【図１２】
2005058794.tif 000014
【図１３】
2005058794.tif 000015
【図１４】
2005058794.tif 000016
【図１５】
2005058794.tif 000017
【図１６】
2005058794.tif 000018
【図１７】
2005058794.tif 000019
【図１８】
2005058794.tif 000020
【図１９】
2005058794.tif 000021
【図２０】
2005058794.tif 000022
【図２１】
2005058794.tif 000023
【図２２】
2005058794.tif 000024
【図２３】
2005058794.tif 000025
【図２４】
2005058794.tif 000026
【図２５】
2005058794.tif 000027